(57)【要約】【課題】接続先であることをよりわかりやすく通知することが可能なプロジェクタ等を提供すること。【解決手段】プロジェクタ１００が、接続元の装置から接続先の確認情報を受信する受信部１１０と、前記確認情報が受信された場合、画像、光、音、振動のうちの少なくとも１つを用いて接続先であることを通知する通知部１２０とを含んで構成される。【選択図】図３
2008139607.tif 000002
【特許請求の範囲】
【請求項１】
接続元の装置から接続先の確認情報を受信する受信部と、
前記確認情報が受信された場合、画像、光、音、振動のうちの少なくとも１つを用いて接続先であることを通知する通知部と、
を含むことを特徴とするプロジェクタ。
【請求項２】
請求項１に記載のプロジェクタにおいて、
前記通知部は、ＬＥＤを発光することによって前記接続先であることを通知することを特徴とするプロジェクタ。
【請求項３】
請求項１、２のいずれかに記載のプロジェクタにおいて、
画像を投写する投写部を含み、
前記接続元の装置は、前記画像を供給する画像供給装置であって、
前記投写部は、前記画像供給装置によって供給される画像を投写することを特徴とするプロジェクタ。
【請求項４】
請求項３に記載のプロジェクタにおいて、
前記通知部は、前記投写部を含み、通知用の画像を投写することによって前記接続先であることを通知することを特徴とするプロジェクタ。
【請求項５】
請求項３、４のいずれかに記載の前記画像供給装置と、請求項３、４のいずれかに記載の複数の前記プロジェクタとを含む投写システム。
【請求項６】
請求項４に記載の前記画像供給装置と、請求項４に記載の複数の前記プロジェクタとを含み、
前記複数のプロジェクタは、近接して配置され、
前記投写部は、前記通知用の画像として、点滅表示画像を投写することを特徴とする投写システム。
【請求項７】
画像を供給する画像供給装置と、当該画像供給装置によって供給される画像を投写する投写部を含む通知部および受信部を含むプロジェクタとを用いた通知方法において、
前記受信部は、前記画像供給装置から接続先の確認情報を受信し、
前記通知部は、前記確認情報が受信された場合、画像、光、音、振動のうちの少なくとも１つを用いて接続先であることを通知することを特徴とする通知方法。
【発明の詳細な説明】
【技術分野】
【０００１】
本発明は、接続確認時の通知を行うプロジェクタ、投写システムおよび通知方法に関する。
【背景技術】
【０００２】
例えば、特開２００６−３９０３号公報に記載されているように、ＰＣ（Personal Computer）と複数のプロジェクタが接続されて画像が投写される場合がある。このような場合、ＰＣによって複数の接続可能なプロジェクタが検索され、接続候補としてリストアップされる。ユーザーは、プロジェクタに一意に付与されたＩＤを元に、目的のプロジェクタを選択して接続操作を行う必要がある。
【特許文献１】特開２００６−３９０３号公報
【発明の開示】
【発明が解決しようとする課題】
【０００３】
しかし、このようなＩＤは、プロジェクタの裏面に貼り付けられていたり、投写しなければ識別できなかったりする場合がある。また、プロジェクタの既定のＩＤは機械的に付与された英数字の羅列で構成されていることが多く、ＩＤからプロジェクタを特定することは困難である。
【０００４】
特に、プロジェクタの場合、他の装置と異なり、複数のユーザーが使用したり、プレゼンテーション時に初めてプロジェクタを使用したりする場合が多く、プロジェクタを初めて使用する場合であっても接続先のプロジェクタをわかりやすく通知する技術が求められている。
【０００５】
本発明の目的は、接続先であることをよりわかりやすく通知することが可能なプロジェクタ、投写システムおよび通知方法を提供することにある。
【課題を解決するための手段】
【０００６】
上記課題を解決するため、本発明に係るプロジェクタは、接続元の装置から接続先の確認情報を受信する受信部と、前記確認情報が受信された場合、画像、光、音、振動のうちの少なくとも１つを用いて接続先であることを通知する通知部と、を含むことを特徴とする。
【０００７】
また、本発明に係る投写システムは、前記画像供給装置と、複数の前記プロジェクタとを含むことを特徴とする。
【０００８】
また、本発明に係る通知方法は、画像を供給する画像供給装置と、当該画像供給装置によって供給される画像を投写する投写部を含む通知部および受信部を含むプロジェクタとを用いた通知方法において、前記受信部は、前記画像供給装置から接続先の確認情報を受信し、前記通知部は、前記確認情報が受信された場合、画像、光、音、振動のうちの少なくとも１つを用いて接続先であることを通知することを特徴とする。
【０００９】
本発明によれば、プロジェクタは、画像、光、音、振動のうちの少なくとも１つを用いて接続先であることを通知することにより、接続先であることをわかりやすく通知することができる。
【００１０】
また、前記通知部は、ＬＥＤを発光することによって前記接続先であることを通知してもよい。
【００１１】
これによれば、プロジェクタは、ＬＥＤを発光することによって接続先であることを通知することにより、既に他の画像供給装置からの画像を投写している場合に割り込みを行わずに接続先であることを通知することができる。
【００１２】
また、前記プロジェクタは、画像を投写する投写部を含み、前記接続元の装置は、前記画像を供給する画像供給装置であって、前記投写部は、前記画像供給装置によって供給される画像を投写してもよい。
【００１３】
これによれば、プロジェクタは、画像の供給先であることを通知することができ、ユーザーは、適切なプロジェクタに画像を供給して投写することができる。
【００１４】
また、前記通知部は、前記投写部を含み、通知用の画像を投写することによって前記接続先であることを通知してもよい。
【００１５】
また、本発明に係る投写システムは、前記画像供給装置と、複数の前記プロジェクタとを含み、前記複数のプロジェクタは、近接して配置され、前記投写部は、前記通知用の画像として、点滅表示画像を投写することを特徴とする。
【００１６】
本発明によれば、プロジェクタは、例えば、近接して配置されている場合であっても画像を投写することにより、接続先であることをわかりやすく通知することができる。特に、プロジェクタは、点滅表示画像を投写することにより、他のプロジェクタから画像が投写されている場合であってもわかりやすく通知することができる。
【発明を実施するための最良の形態】
【００１７】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１８】
（第１の実施例）
図１は、従来の投写システム４の全体図である。従来の投写システム４は、１台のＰＣ２と、３台のプロジェクタ１−１〜１−３とを含んで構成されている。また、ＰＣ２と、プロジェクタ１とは無線通信ネットワーク３を介して接続可能な状態になっている。
【００１９】
ユーザーは、接続先候補のプロジェクタ１を示す一覧画像から所望のプロジェクタ１を選択して投写開始指示を行う。これにより、プロジェクタ１とＰＣ２とが接続され、プロジェクタ１は画像を投写する。
【００２０】
しかし、このような場合、図１に示すように、プロジェクタ１のＩＤは英数字の羅列で表されているため、ユーザーは、どのＩＤがどのプロジェクタ１に対応しているか判断することは困難である。また、あるユーザーが各プロジェクタ１の名前を定義している場合であっても、別のユーザーがプロジェクタ１を使用する場合、当該別のユーザーは、どの名前がどのプロジェクタ１に対応しているか判断することは困難である。
【００２１】
図２は、第１の実施例における投写システム１０の全体図である。本実施例の投写システム１０は、１台のＰＣ２００と、３台のプロジェクタ１００−１〜１００−３とを含んで構成されている。なお、ＰＣ２００は、プロジェクタ１００に画像を供給する画像供給装置の一種である。また、ＰＣ２００と、プロジェクタ１００とは無線通信ネットワーク３００を介して接続可能な状態になっている。
【００２２】
本実施例では、ユーザーが、ＰＣ２００の画面に表示された画像で１つのプロジェクタ１００を選択し、「接続応答テスト」をクリックした場合、当該プロジェクタ１００のＬＥＤ９３０が発光する。これにより、ユーザーは、どのプロジェクタ１００が接続先であるか容易に判断することができる。
【００２３】
次に、このような機能を有するプロジェクタ１００の機能ブロックについて説明する。図３は、第１の実施例におけるプロジェクタ１００の機能ブロック図である。
【００２４】
プロジェクタ１００は、ＰＣ２００から接続先の確認情報を受信する受信部１１０と、確認情報が受信された場合、画像、光、音、振動のうちの少なくとも１つを用いて接続先であることを通知する通知部１２０とを含んで構成されている。
【００２５】
また、通知部１２０は、記憶部１４０と、画像生成部１５０と、投写部１５２と、音声生成部１６０と、音声出力部１６２と、発光部１７０と、振動部１８０と、これらの各部を制御する制御部１３０とを含んで構成されている。また、記憶部１４０は、制御データ１４２、画像データ１４４、音声データ１４６等を記憶している。
【００２６】
なお、制御データ１４２は、例えば、発光部１７０等の制御対象ごとの制御パターンを示すデータである。制御部１３０は、制御データ１４２に基づいて発光部１７０等を制御することにより、接続応答用の通知を行う。また、画像データ１４４は、通知用画像を生成するためのデータを含み、音声データ１４６は、通知用音声を出力するためのデータを含む。
【００２７】
また、制御部１３０等の各部は、例えば、以下のハードウェアを用いて実装されてもよい。図４は、第１の実施例におけるプロジェクタ１００のハードウェアブロック図である。
【００２８】
例えば、受信部１１０としては無線通信モジュール９４２等、制御部１３０としてはＣＰＵ９１０等、記憶部１４０としてはＲＡＭ９５０、ＲＯＭ９６０等、画像生成部１５０としては画像処理回路９７０等、投写部１５２としては液晶パネル９２０等、音声生成部１６０としては音声処理回路９８０等、音声出力部１６２としてはスピーカー９８２等、発光部１７０としてはＬＥＤ９３０等、振動部１８０としては振動素子９４０等が採用されてもよい。なお、これらの各部はシステムバス９００を介して相互に情報をやりとりすることが可能である。
【００２９】
次に、制御部１３０等を用いた通知手順について説明する。図５は、第１の実施例における通知手順を示すフローチャートである。
【００３０】
まず、制御部１３０は、受信部１１０によって何らかの情報が受信されたかどうかを判定する（ステップＳ１）。
【００３１】
そして、制御部１３０は、何らかの情報が受信された場合、当該情報が接続先判定情報であるかどうかを判定する（ステップＳ２）。具体的には、例えば、図２に示すＰＣ２００で、ユーザーが、接続確認対象のプロジェクタ１００（ここでは「ＩＤ１８４Ｇ０１Ｍ」とする。）を選択し、「接続先応答テスト」をクリックした場合、ＰＣ２００は、接続先判定情報を接続確認対象のプロジェクタ１００へ向け送信する。
【００３２】
制御部１３０は、接続先確認情報が受信されたと判定した場合、接続先であることを通知する（ステップＳ３）。ここでは、制御部１３０は、制御データ１４２に基づき、ＬＥＤ９３０を点灯させるように発光部１７０を制御するものとする。例えば、プロジェクタ１００−３は、接続先確認情報を受信した場合、図２に示すように、ＬＥＤ９３０−３を点灯させる。これにより、ユーザーは、接続確認対象の「ＩＤ１８４Ｇ０１Ｍ」がプロジェクタ１００−３であることを確認することができる。
【００３３】
また、制御部１３０は、受信された情報が画像情報であるかどうかを判定する（ステップＳ４）。具体的には、例えば、図２に示すＰＣ２００で、ユーザーが、接続確認対象のプロジェクタ１００（ここでは「ＩＤ１８４Ｇ０１Ｍ」とする。）を選択し、「投写開始」をクリックした場合、ＰＣ２００は、画像情報を接続確認対象のプロジェクタ１００へ向け送信する。
【００３４】
制御部１３０は、画像情報が受信されたと判定した場合、画像生成部１５０に当該画像情報に基づく画像を生成させ、投写部１５２は、当該画像を投写する（ステップＳ５）。
【００３５】
プロジェクタ１００は、以上の処理（ステップＳ１〜Ｓ５）を終了指示があるまで（ステップＳ６）繰り返し実行する。
【００３６】
以上のように、本実施例によれば、プロジェクタ１００は、画像（画像生成部１５０、投写部１５２）、光（発光部１７０）、音（音声生成部１６０、音声出力部１６２）、振動（振動部１８０）のうちの少なくとも１つを用いて接続先であることを通知することにより、接続先であることをわかりやすく通知することができる。
【００３７】
特に、プロジェクタ１００は、ＬＥＤ９３０を発光することによって接続先であることを通知することにより、例えば、ＤＶＤプレーヤー等の他の画像供給装置から供給される画像を投写している場合であっても、投写を中断せずに（割り込みを行わずに）接続先であることを通知することができる。
【００３８】
また、複数のユーザーがプロジェクタ１００を使用する状況であっても、ユーザーは、接続先のプロジェクタ１００を容易に確認することができるため、プロジェクタ１００は、ユーザーによって画像が投写中のプロジェクタ１００が他のユーザーによって誤って使用されてしまうことを防止することができる。
【００３９】
また、本実施例によれば、プロジェクタ１００の識別名が「ＩＤ１９０Ｍ８２Ａ」等の初期状態のままであってもユーザーはプロジェクタ１００を識別することができ、新たに識別名を定義する手間を省くことができる。
【００４０】
（第２の実施例）
次に、複数のプロジェクタ１００が近接して配置された状況における通知方法について説明する。図６は、第２の実施例における投写システム１２の全体図である。
【００４１】
投写システム１２は、４台のプロジェクタ１００−１〜１００−４と、ＰＣ２００とを含んで構成されている。また、４台のプロジェクタ１００−１〜１００−４は、図６に示すように、近接して配置され、それぞれが分担して画像２２−１〜２２−４をスクリーン２０に投写することにより、１つの画像２２を表示するように形成されている。
【００４２】
このように、プロジェクタ１００が近接して配置された状態（例えば、スタック投写状態等）では、ユーザーは、ＬＥＤ９３０が発光されてもＬＥＤ９３０を確認することができず、音声が出力されてもどのプロジェクタ１００かを判定することは困難であり、プロジェクタ１００が振動しても他のプロジェクタ１００も一緒に振動してしまうため、接続先のプロジェクタ１００を判定することは困難である。
【００４３】
このような場合、制御部１３０は、通知用の画像として、画像生成部１５０に点滅表示画像を生成させる。具体的には、画像生成部１５０は、例えば、画像データ１４４に基づき、黒の画像と白の画像を交互に生成する。そして、投写部１５２は、黒の画像と白の画像を交互に投写する。これにより、接続先のプロジェクタ１００−３は、点滅表示される画像２２−３を投写することができる。なお、点滅表示される画像は、接続待機時の画像（例えば、プロジェクタ１００の識別名、ＩＰアドレス等を示す画像）等であってもよい。
【００４４】
本実施例によれば、プロジェクタ１００は、他のプロジェクタ１００と近接して配置されている場合であっても画像を投写することにより、接続先であることをわかりやすく通知することができる。特に、プロジェクタ１００は、点滅表示画像を投写することにより、他のプロジェクタ１００から画像が投写されている場合であってもわかりやすく通知することができる。
【００４５】
（その他の実施例）
なお、本発明の適用は上述した実施例に限定されず、種々の変形が可能である。例えば、プロジェクタ１００と複数のＰＣ２００が接続されている場合、プロジェクタ１００が接続確認を行ってもよい。図７は、その他の実施例における投写システム１４の全体図である。
【００４６】
投写システム１４は、１台のプロジェクタ１００と、４台のＰＣ２００−１〜２００−４とを含んで構成されている。各ＰＣ２００には、それぞれＬＥＤ２１０−１〜２１０−４が設けられているものとする。また、ＰＣ２００は、受信部１１０、制御部１３０、記憶部１４０、発光部１７０を有しているものとする。
【００４７】
このような構成によってもユーザーがプロジェクタ１００を用いてＰＣ２００との接続確認テストを行った場合、接続先のＰＣ２００−３のＬＥＤ２１０−３が点灯し、ユーザーは、接続先のＰＣ２００を確認することができる。
【００４８】
また、画像供給装置は、ＰＣ２００には限定されず、例えば、ＤＶＤプレーヤー、ゲーム装置、携帯電話等であってもよい。また、接続確認テストを行う装置は、画像供給装置には限定されず、例えば、携帯電話等の通信可能な種々の装置を採用可能である。また、プロジェクタ１００とＰＣ２００との間の通信路は、無線通信ネットワーク３００には限定されず、有線通信路であってもよい。
【００４９】
また、制御部１３０は、ユーザーの選択に応じて投写中における接続確認の通知方法を設定してもよい。例えば、制御部１３０は、画像が投写中である場合に接続確認テストが行われた場合、通知を行わなかったり、「接続が割り込まれようとしています。許可しますか？はい／いいえ」といった文字列を示す画像を画像生成部１５０に生成させたりしてもよい。すなわち、通知用の画像は、点滅表示画像には限定されず、例えば、このような文字列を示す画像、接続待機時の画像等であってもよい。
【００５０】
また、上述した実施例では、制御部１３０は、画像生成部１５０、投写部１５２、発光部１７０を用いて通知を行ったが、例えば、音声生成部１６０、音声出力部１６２を用いて音声によって通知を行ったり、振動部１８０を用いて振動によって通知を行ったり、これらの複数を用いて同時に通知を行ったりしてもよい。例えば、制御部１３０は、発光部１７０による発光と同時に音声出力部１６２によるブザー音等の音声出力を行ってもよい。
【００５１】
また、プロジェクタ１００は、液晶プロジェクタに限定されず、例えば、ＤＬＰプロジェクタ、ＣＲＴプロジェクタ、ＬＥＤプロジェクタ等であってもよい。また、プロジェクタ１００の機能を複数の装置（例えば、プロジェクタとＰＣ等）に分散して実装してもよい。
【００５２】
また、接続確認が可能な装置は、プロジェクタ１００、ＰＣ２００には限定されず、例えば、プリンタ、スキャナ等であってもよい。例えば、プリンタの配置位置の天井に赤色灯を設け、当該プリンタの制御部は、当該プリンタに対して接続確認が行われた場合に赤色灯を点灯制御してもよい。これによれば、ユーザーは、遠くからでも接続先のプリンタを確認することができる。
【図面の簡単な説明】
【００５３】
【図１】従来の投写システムの全体図である。
【図２】第１の実施例における投写システムの全体図である。
【図３】第１の実施例におけるプロジェクタの機能ブロック図である。
【図４】第１の実施例におけるプロジェクタのハードウェアブロック図である。
【図５】第１の実施例における通知手順を示すフローチャートである。
【図６】第２の実施例における投写システムの全体図である。
【図７】その他の実施例における投写システムの全体図である。
【符号の説明】
【００５４】
１０、１２、１４  投写システム、１００  プロジェクタ、１１０  受信部、１２０  通知部、１３０  制御部、１４０  記憶部、１４２  制御データ、１４４  画像データ、１４６  音声データ、１５０  画像生成部、１５２  投写部、１６０  音声出力部、１７０  発光部、１８０  振動部、２００  ＰＣ（画像供給装置）
【図１】
2008139607.tif 000003
【図２】
2008139607.tif 000004
【図３】
2008139607.tif 000005
【図４】
2008139607.tif 000006
【図５】
2008139607.tif 000007
【図６】
2008139607.tif 000008
【図７】
2008139607.tif 000009